(57)【要約】【課題】複数のランプを駆動でき、且つ各ランプの輝度をほぼ平衡とし、効率を高め、並びに関係回路コストを減らせるようにする冷陰極管インバータに用いられる変圧器。【解決手段】Ｕ形及びトリプル式の変圧器とされ、中間コイル部分が一次側コイル（即ち入力部分）とされ、両側が二次側コイルとされ（即ち出力部分）とされ、一次側コイルが共用されることにより、駆動回路が簡易化され、複数の二次側コイルにより、ランプ直列或いは並列の要求により発生する問題を免除し、一次側コイルの共用と、各二次側コイルが同一組の鉄心内にあって且つ二次側コイルの磁路が対称とされ、各二次側コイルの構造及び巻数が同じである時、出力パラメータもまた同じとなり、これにより、ランプ輝度の差異の問題を減らす。【選択図】　　　　図２
0003098129.tif 000002
【実用新案登録請求の範囲】
【請求項１】
冷陰極管インバータに用いられる変圧器において、該変圧器は、一次側コイルが共用され、二次側コイル回路相互間及び磁路相互間が完全或いは一部相互隔離され、該変圧器が、
四つのＵ形鉄心を具えた鉄心セットと、
第１巻線部と第１中空部を具え、該第１中空部が鉄心を収容する第１巻線フレームと、
第２巻線部と第２中空部を具え、該第２中空部が鉄心を収容する第２巻線フレームと、
第３巻線部と第３中空部を具え、該第３中空部が鉄心を収容する第３巻線フレームと、
を具えたことを特徴とする、冷陰極管インバータに用いられる変圧器。
【請求項２】
請求項１記載の冷陰極管インバータに用いられる変圧器において、一次側コイルが共用され、両側に組み合わされる二次側コイルが２の倍数を以て組み合わされたことを特徴とする、冷陰極管インバータに用いられる変圧器。
【請求項３】
請求項１記載の冷陰極管インバータに用いられる変圧器において、鉄心セットが二つの変形Ｅ形鉄心を具えたことを特徴とする、冷陰極管インバータに用いられる変圧器。
【請求項４】
請求項１記載の冷陰極管インバータに用いられる変圧器において、鉄心セットが二つのＬ形鉄心と一つのＩ形鉄心で組成されたことを特徴とする、冷陰極管インバータに用いられる変圧器。
【請求項５】
請求項１記載の冷陰極管インバータに用いられる変圧器において、鉄心セットが二つのＵ形鉄心と一つのＩ形鉄心で組成されたことを特徴とする、冷陰極管インバータに用いられる変圧器。
【請求項６】
請求項１記載の冷陰極管インバータに用いられる変圧器において、鉄心セットが一つのＵ形鉄心と一つのＴ形鉄心で組成されたことを特徴とする、冷陰極管インバータに用いられる変圧器。
【請求項７】
請求項１記載の冷陰極管インバータに用いられる変圧器において、鉄心セットが一つのＥ形鉄心と一つのＩ形鉄心で組成されたことを特徴とする、冷陰極管インバータに用いられる変圧器。
【請求項８】
請求項１記載の冷陰極管インバータに用いられる変圧器において、鉄心セットが一つのＦ形鉄心と一つのＬ形鉄心で組成されたことを特徴とする、冷陰極管インバータに用いられる変圧器。
【考案の詳細な説明】
【０００１】
【考案の属する技術分野】
本考案は一種の冷陰極管インバータに用いられる変圧器に係り、特にＵ形及びトリプル式の変圧器とされ、その一次側コイルが共用とされ、一次側コイルと各二次側コイル間の回路が完全に隔離され、二次側コイル回路の相互間が完全に隔離され、二次側コイル磁路相互間が完全に或いは大部分隔離され、インバータが同時に２本以上のランプを駆動する時に発生する各種の問題を減らすことができる、冷陰極管インバータに用いられる変圧器に関する。
【０００２】
【従来の技術】
一般に、伝統的な冷陰極管インバータが二本以上のランプを駆動する時、二つ以上の回路及び二つ以上の変圧器を必要とする。一つの変圧器１００（図１）で二つ以上のランプを駆動する時、ランプが並列連接されている時に輝度の不均一（即ちランプ電流の不平衡）が発生しうる。このため更に多くの電子部品を必要とし、製造コストを費やしてランプの輝度を平衡とする必要が生じる。ランプが直列連接されている時、変圧器の高圧出力電圧はランプ数量の二乗が必要で、使用上安全でなく、関係部品の価格も高くなる。
【０００３】
ディスプレイの技術が進歩し、液晶ディスプレイモニタはその厚さが比較的小さく、占用空間が少なく、且つ画質が安定しちらつきがないため、徐々に伝統的なＣＲＴモニタの代わりに使用されるようになった。液晶ディスプレイモニタ中にはバックライトモジュールがあり、その内部に高圧駆動される冷陰極管があり、バックライトシステムの光源とされて表示に供される。このようなランプは一般にインバータで駆動され、その内部に駆動回路が設けられるほか、高圧変圧器を具え、また現在液晶ディスプレイサイズがますます大型化しており、且つテレビとして採用されているものもあるが、輝度は明らかに不足し、２本以上のマルチランプ光源バックライトを採用しているが、周知の変圧器は一つの変圧器で１本のランプを駆動し、２本以上のランプを駆動する時には上述の問題が発生した。
【０００４】
【考案が解決しようとする課題】
本考案は上述の従来の技術の問題を鑑み、一種の冷陰極管インバータに用いられる変圧器を提供することを目的とし、それは、Ｕ形及びトリプル式の変圧器とされ、中間コイル部分が一次側コイル（即ち入力部分）とされ、両側が二次側コイルとされ（即ち出力部分）とされ、一次側コイルが共用されることにより、駆動回路が簡易化され、複数の二次側コイルにより、ランプ直列或いは並列の要求により発生する問題を免除し、一次側コイルの共用と、各二次側コイルが同一組の鉄心内にあって且つ二次側コイルの磁路が対称とされ、各二次側コイルの構造及び巻数が同じである時、出力パラメータもまた同じとなり、これにより、ランプ輝度の差異の問題を減らす。当然、一つだけの変圧器で複数のランプを駆動するため、変圧器の数量も減少する。
【０００５】
【課題を解決するための手段】
請求項１の考案は、冷陰極管インバータに用いられる変圧器において、該変圧器は、一次側コイルが共用され、二次側コイル回路相互間及び磁路相互間が完全或いは一部相互隔離され、該変圧器が、
四つのＵ形鉄心を具えた鉄心セットと、
第１巻線部と第１中空部を具え、該第１中空部が鉄心を収容する第１巻線フレームと、
第２巻線部と第２中空部を具え、該第２中空部が鉄心を収容する第２巻線フレームと、
第３巻線部と第３中空部を具え、該第３中空部が鉄心を収容する第３巻線フレームと、
を具えたことを特徴とする、冷陰極管インバータに用いられる変圧器としている。
請求項２の考案は、請求項１記載の冷陰極管インバータに用いられる変圧器において、一次側コイルが共用され、両側に組み合わされる二次側コイルが２の倍数を以て組み合わされたことを特徴とする、冷陰極管インバータに用いられる変圧器としている。
請求項３の考案は、請求項１記載の冷陰極管インバータに用いられる変圧器において、鉄心セットが二つの変形Ｅ形鉄心を具えたことを特徴とする、冷陰極管インバータに用いられる変圧器としている。
請求項４の考案は、請求項１記載の冷陰極管インバータに用いられる変圧器において、鉄心セットが二つのＬ形鉄心と一つのＩ形鉄心で組成されたことを特徴とする、冷陰極管インバータに用いられる変圧器としている。
請求項５の考案は、請求項１記載の冷陰極管インバータに用いられる変圧器において、鉄心セットが二つのＵ形鉄心と一つのＩ形鉄心で組成されたことを特徴とする、冷陰極管インバータに用いられる変圧器としている。
請求項６の考案は、請求項１記載の冷陰極管インバータに用いられる変圧器において、鉄心セットが一つのＵ形鉄心と一つのＴ形鉄心で組成されたことを特徴とする、冷陰極管インバータに用いられる変圧器としている。
請求項７の考案は、請求項１記載の冷陰極管インバータに用いられる変圧器において、鉄心セットが一つのＥ形鉄心と一つのＩ形鉄心で組成されたことを特徴とする、冷陰極管インバータに用いられる変圧器としている。
請求項８の考案は、請求項１記載の冷陰極管インバータに用いられる変圧器において、鉄心セットが一つのＦ形鉄心と一つのＬ形鉄心で組成されたことを特徴とする、冷陰極管インバータに用いられる変圧器としている。
【０００６】
【考案の実施の形態】
図２に示されるように、本考案は三つの巻線フレーム１、２、３及び四つのＵ形鉄心４、５、６、７で組成された変圧器構造（図２ａ）とされるか、或いは、三つの巻線フレーム１、２、３及び二つの変形Ｅ形鉄心８で組成された変圧器構造（２ｂ）とされる。そのうち、三つの巻線フレーム１、２、３の中間周縁に複数の離間配置された巻線部１１、２１、３１があり、この巻線部１１、２１、３１にコイルが巻かれている。巻線部１１、２１、３１は中空の構造とされ、その両側の中空部１２、２２、３２にそれぞれ鉄心４、５、６、７（或いは鉄心８）が収容されている。巻線部１１、２１、３１の両横に複数の端子１３、２３、３３が連接され、該端子１３、２３、３３がコイルと連接されている。
【０００７】
上述の変圧器はＵ形及び変形ダブルＥ形の変圧器とされ、その中間の巻線フレーム１に設けられたコイル部分が一次側コイル（即ち入力部分）とされ、両側の巻線フレーム２、３に設けられたコイル部分が二次側コイル（即ち出力部分）とされ、同じ特性の鉄心４、５、６、７（或いは鉄心８）内にあり、且つ一次側コイルが共用とされ、一次側コイルと各二次側コイル間の回路は完全に隔離されている。二次側コイル回路相互間は完全に隔離されている。また二次側コイル磁路相互間も完全或いは大部分隔離され、これによりインバータが同時に二本以上のランプを駆動するときに発生する各種の問題を減らすことができる。
【０００８】
図３に示されるように、本考案の中間の巻線フレーム１の両横にそれぞれ二組の、合計４組の巻線フレーム２’、３’を設置可能である。
【０００９】
図４に示されるように、本考案の中間の巻線フレーム１の両横にそれぞれ三組（或いはそれ以上）の、合計６組（或いはそれ以上）の巻線フレーム２”、３”を設置可能である。
【００１０】
図５に示されるように、鉄心８は二つのＥ形鉄心８１、８２の組合せとされ、即ち四つのＵ形の変形とされる。
【００１１】
以下の鉄心構造もまた本考案に使用でき、その特徴はいずれも一次側コイルを共用とし、一次側コイルと各二次側コイル間の回路が完全に隔離され、二次側コイル回路相互間及び磁路相互間が完全或いは大部分隔離されていることにある。
【００１２】
図６では、鉄心９は二つのＥ形鉄心９１、９２の組合せとされている。
【００１３】
図７では、鉄心１０は一つのＵ形鉄心１０１と一つのＴ形鉄心１０２の組合せとされている。
【００１４】
図８では、鉄心１１０は一つのＥ形鉄心１１１と一つのＩ形鉄心１１２の組合せとされている。
【００１５】
図９では、鉄心１２０は一つのＦ形鉄心１２１と一つのＬ形鉄心１２２の組合せとされている。
【００１６】
図１０では、鉄心１３０は二つのＬ形鉄心１３１、１３２と一つのＩ形鉄心１３３の組合せとされている。
【００１７】
図１１では、鉄心１４０は二つのＵ形鉄心１４１、１４２と一つのＩ形鉄心１４３の組合せとされている。
【００１８】
【考案の効果】
総合すると、本考案の冷陰極管インバータに用いられる変圧器は、変圧器の左右の巻線フレームに２、４、６、８等の二倍数の組合せを採用することにより、巻線フレーム数と同じ数のランプを駆動し、且つ同一組の鉄心内にあって、各ランプの輝度を全て同じくすることができ、産業上の利用価値を有している。本考案はまた未公開であり実用新案登録の要件を具えている。
【図面の簡単な説明】
【図１】周知のインバータに用いられる変圧器の分解斜視図である。
【図２】本考案のインバータに用いられる変圧器の分解斜視図である。
【図３】本考案の実施例図である。
【図４】本考案の別の実施例図である。
【図５】本考案の鉄心セットの組合せ構造の立体図である。
【図６】本考案の鉄心セットの組合せ構造の立体図である。
【図７】本考案の鉄心セットの組合せ構造の立体図である。
【図８】本考案の鉄心セットの組合せ構造の立体図である。
【図９】本考案の鉄心セットの組合せ構造の立体図である。
【図１０】本考案の鉄心セットの組合せ構造の立体図である。
【図１１】本考案の鉄心セットの組合せ構造の立体図である。
【符号の説明】
１、２、２’、２”、３、３’、３”　巻線フレーム
１１、２１、３１　巻線部
１２、２２、３２　中空部
１３、２３、３３　端子
４、５、６、７、８、９、１０、１１０、１２０、１３０、１４０　鉄心
８１、８２、９１、９２、１０１、１０２、１１１、１１２、１２１、１２２、１３１、１３２、１３３、１４１、１４２、１４３　鉄心
１００　変圧器
【図１】
0003098129.tif 000003
【図２】
0003098129.tif 000004
【図３】
0003098129.tif 000005
【図４】
0003098129.tif 000006
【図５】
0003098129.tif 000007
【図６】
0003098129.tif 000008
【図７】
0003098129.tif 000009
【図８】
0003098129.tif 000010
【図９】
0003098129.tif 000011
【図１０】
0003098129.tif 000012
【図１１】
0003098129.tif 000013